(57)【要約】      （修正有）【課題】ボルト上端に短軸部を設け、円筒部付締付ナット内に組込んだ食込刃付円形碗を上部周辺面に食込ますことにより、締付ナットの緩みを阻止するようにする。【解決手段】下部材２６にボルト１を固定した後、上部材２４をボルト孔２５を通して下部材の上に載せ、円筒部付締付ナット６をボルトに強く締め込んだ後、ボルトの短軸部４の上に食込刃付円形碗１１を載せ、その上より円形碗押込用円冠１５を締付ナットの円筒部外周の雄ねじ９にねじ込んで、食込刃付円形碗を強く押下げて円形碗のテーパー孔部１３の縦筋形切刃１４を、ボルトの短軸部４の上部周辺面５に食込ませて、円筒部付締付ナットをボルトに回転不能に結合させるようにする。【選択図】図１
2018112301.tif 000002
【特許請求の範囲】
【請求項１】
ボルトに締め込むナットの緩み止めの構造において、ボルト（１）の上端を延長して雄ねじの谷径より少し小径の短軸部（４）を設け、一方頭上に円筒部（７）を設けた締付ナット（６）の円筒部内に組込まれている食込刃付円形碗（１１）は、その外表面に切られた縦溝（１２）に円筒部内面より突出されたピン（１０）が噛合されているため、円形碗は回転が阻止された状態で円筒部の内周面（８）を上下に移動可能となっており、そしてボルトを植込等の方法により下部材（２６）に固定した後、上部材（２４）をそのボルト孔（２５）を通して下部材の上に載せ、円筒部付締付ナット（６）をボルトに強く締め込んだ後、ボルトの短軸部（４）の上に食込刃付円形碗（１１）を載せ、その上より円形碗押込用円冠（１５）を締付ナットの円筒部外周の雄ねじ（９）にねじ込んで、食込刃付円形碗を強く押下げて円形碗のテーパー孔部（１３）の縦筋形切刃（１４）を、ボルトの短軸部（４）の上部周辺面（５）に食込ませて、円筒部付締付ナット（８）をボルトに回転不能に結合させるようにしたナットの緩み止めの構造。
【請求項２】
特許請求の範囲第１項に記載した食込刃付円形碗の代りに、食込刃付掩蓋（２０）をボルト（１）の上端の雄ねじの谷径より少し小径の短軸部（４）の上に載せ、その掩蓋を数本の小ボルト（１９）で締付ナットに強く締付ることにより、その掩蓋（２０）の下面のテーパー孔（２１）内の縦筋形切刃（２２）をボルトの短軸部（４）の上部周辺面（５）に食込ませて、その掩蓋と小ボルト（１９）により結合されている小ねじ孔付締付ナット（１８）を、ボルトに回転不能に結合させるようにしたナットの緩み止めの構造。
【発明の詳細な説明】
【技術分野】
【０００１】  本発明は強い締付け力を必要とする並目ねじボルトに締め込んだナットの緩み止めを行う方法である。
【背景技術】
【０００２】  緩み止めのためボルトにナットを固定する方法としては、ナットとボルトを貫通する共孔を開けここに割ピンを押込んで固定する方法があるが、この穿孔は現地で行うこともあり面倒であり、又一度ねじ戻しの後、再びナットを締めこむときは合致しない欠点があり、又ころがり軸受を押え込む時に使用するナットは細目ねじであり、大きな荷重には耐えきれず、しかも軸には溝加工を必要とするため広範囲に使用する並目ねじボルトに用いることは不適である、又ねじ面の摩擦力を高めるためのダブルナット式の緩み止めナットもあるが、この効果は不明である。
【発明の開示】
【発明が解決しようとする課題】
【０００３】  本発明はボルトの上端に短軸部を追加し、ここに円筒部付締付ナット内に組込んだ食込刃付円形碗を食込ますことにより、締付ナットの緩みを確実に阻止するようにする。
【課題を解決するための手段】
【０００４】  ボルト１の上端を延長して雄ねじの谷径より少し小径の短軸部４を設け、一方頭上に円筒部７を設けた締付ナット６の円筒部内に組込まれている食込刃付円形碗１１は、その外表面に切られた縦溝１２に円筒部内面より突出されたピン１０が噛合されているため、円形碗は回転が阻止された状態で円筒部の内周面８を上下に移動可能となっている。【０００５】  ボルトを植込等の方法により下部材２６に固定した後、上部材２４をそのボルト孔２５を通して下部材の上に載せ、円筒部付締付ナット６をボルトに強く締め込んだ後、ボルトの短軸部４の上に食込刃付円形碗１１を載せ、その上より円形碗押込用円冠１５を締付ナットの円筒部外周の雄ねじ９にねじ込んで、食込刃付円形碗を強く押下げて円形碗のテーパー孔部１３の縦筋形切刃１４を、ボルトの短軸部４の上部周辺面（５）に食込ませて、円筒部付締付ナット８をボルトに回転不能に結合させるようにする。【０００６】  食込刃付円形碗の代りに食込刃付掩蓋２０をボルト１の上端の雄ねじの谷径より少し小径の短軸部４の上に載せ、その掩蓋を数本の小ボルト１９で締付ナットに強く締付ることにより、その掩蓋２０の下面のテーパー孔２１内の縦筋形切刃２２をボルトの短軸部４の上部周辺面５に食込ませて、その掩蓋と小ボルト１９により結合されている小ねじ孔付締付ナット１８を、ボルトに回転不能に結合させるようにする。
【発明の効果】
【０００７】  本発明の実施により並目ねじボルトにナットを強く締め込んだ後、確実な緩み止めが可能になり、鉄道車両等振動の激しいナットの脱落を防止しうるようになる。
【図面の簡単な説明】
【０００８】
【図１】本発明の実施形態の一例として、ボルトに締付用ナットを締め込み、緩み止を行った状態の縦断面図
【図２】図１の底面図
【図３】図１、図２に組込まれている食込刃付円形碗の縦断面図
【図４】図３の底面図
【図５】本発明の実施形態の一例として、ボルトに締付用ナットを締め込み、緩み止を行った状態の縦断面図
【図６】図５の平面図
【図７】図５、図６に組込まれている食込刃付掩蓋の縦断面図
【図８】図７の底面図
【発明を実施するための形態】
【０００９】  ボルト１の上端を延長して雄ねじの谷径より少し小径の短軸部４を設ける、この短軸部はボルトを製作するとき、先端部のねじ山を削除して製作できるため、容易に製作が可能である。又締付ナットはその頭上に円筒部７を設け、その円筒部内に食込刃付円形碗１１を上下に移動しうる様ように収納しており、その外表面に切られた縦溝１２に円筒部内面より突出されたピン１０が噛合されて、その回転は阻止されている。
【００１０】  ボルトを植込等の方法により下部材２６に固定した後、上部材２４をそのボルト孔２５を通して下部材の上に載せ、円筒部付締付ナット６をボルトに強く締め込んだ後、ボルトの短軸部４の上に食込刃付円形碗１１を載せ、その上より円形碗押込用円冠１５を締付ナットの円筒部外周の雄ねじ９にねじ込んで、食込刃付円形碗を強く押下げると円形碗のテーパー孔部１３はボルトの短軸部４を掩うように重なってテーパー孔部１３の多数の焼入された鋭い縦筋形切刃１４は短軸部の上部周辺面５に食い込む、円形碗１１は締付ナットの円筒部内周面８に対し、回転が阻止されているため、この円形碗を介して円筒部付締付ナットはボルトに回転不能に結合される。
【００１１】  ボルトに締付けている円筒部付締付ナットをねじ戻すときは、上部の円形碗押込用円冠１５をねじ戻して取去り、食込刃付円形碗１１を浮上がらせることにより容易に、締付ナットを取外すことが可能である、又取外した後はボルトの短軸部の上部周辺面に切溝が残されているが、再度使用時円形碗の縦筋形切刃１４を切込むとき、前回の切溝はその作用をさまたげない、従って締付ナットの締付は何度も使用可能である。
【００１２】  ボルトは締付ナットの円筒部７及び円形碗押込用円冠１５により密閉されているため、雨水、泥水にさらされる用途にも使用可能である。
【００１３】  ボルトの径が大きい場合、締付ナットに小ボルト１９をねじ込む余裕ができるため、食込刃付円形碗の代りに、食込刃付掩蓋２０をボルト１の上端の雄ねじの谷径より少し小径の短軸部４の上に載せ、その掩蓋を数本の小ボルト１９で締付ナットに強く締付ることにより、その掩蓋２０の下面のテーパー孔２１内の縦筋形切刃２２をボルトの短軸部４の上部周辺面５に食込ませて、その掩蓋と小ボルト１９により結合されている小ねじ孔付締付ナット１８をボルトに回転不能に結合させるようにする
【符号の説明】
【００１４】１・・・ボルト                  ２・・・ボルトの締付ねじ
３・・・ボルトの植込ねじ        ４・・・ボルト上端の短軸部
５・・・短軸部上部周辺面        ６・・・円筒部付締付ナット
７・・・締付ナットの円筒部      ８・・・円筒部内周面
９・・・円筒部外周の雄ねじ      １０・・・円筒部内面のピン
１１・・・食込刃付円形碗        １２・・・円形碗外表面の縦溝
１３・・・円形碗のテーパー孔部  １４・・・円形碗のテーパー孔部の縦筋形切刃
１５・・・円形碗押込用円冠      １６・・・円冠の雌ねじ
１７・・・小ねじ孔付締付ナット  １８・・・締付ナットの小ねじ孔
１９・・・締付ナット用小ボルト  ２０・・・食込刃付掩蓋
２１・・・掩蓋のテーパー孔部    ２２・・・掩蓋のテーパー孔部の縦筋形切刃
２３・・・座金                  ２４・・・上部材
２５・・・上部材のボルト孔      ２６・・・下部材
【図１】
2018112301.tif 000003
【図２】
2018112301.tif 000004
【図３】
2018112301.tif 000005
【図４】
2018112301.tif 000006
【図５】
2018112301.tif 000007
【図６】
2018112301.tif 000008
【図７】
2018112301.tif 000009
【図８】
2018112301.tif 000010